(57)【要約】【課題】ロールフィルムの側面に密着したフィルム端部を簡単に引き出すことができるフィルム端部の引出し具１００を提供する。【解決手段】引出し具１００は当接体１と端部検出面３とで構成する。当接体１は、ロールフィルムＰの長手側面が当接自在となる平面部１Ａを有する。端部検出面３は、当接体１の平面部１Ａ表面に粘着剤２を付着して形成される。この粘着剤２は、端部検出面３に接着されたロールフィルムＰの側面が該端部検出面３上で回転自在となる接着力を有する。そして、ロールフィルムＰの長手側面を当接体１の端部検出面３に押し当ててフィルム端部Ｐ１を接着する。フィルムが開く方向にロールフィルムＰを回転させてフィルム端部Ｐ１を引き出す。【選択図】  図１
2010143594.tif 000002
【特許請求の範囲】
【請求項１】
長尺な帯状フィルムが筒状に巻かれたロールフィルムを使用し、該ロールフィルムの側面に密着したフィルム端部を該ロールフィルム側面から引き離すフィルム端部の引出し方法において、ロールフィルムの長手側面の全長が当接可能な範囲の平面部に、該ロールフィルムが着脱自在に接着される粘着剤を付着して端部検出面を形成し、ロールフィルムの長手側面を端部検出面に密着するように押し当て、端部検出面にフィルム端部を接着した後、ロールフィルムを回転させてフィルム端部を引き出すことを特徴とするフィルム端部の引出し方法。
【請求項２】
長尺な帯状フィルムが筒状に巻かれたロールフィルムに使用され、該ロールフィルムの側面に密着したフィルム端部をロールフィルム側面から引き離すフィルム端部の引出し具において、該引出し具は、ロールフィルムの長手側面の全長が当接可能な平面部を有する当接体と、該当接体の平面部にロールフィルムが着脱自在に接着される粘着剤を付着して形成された端部検出面とで構成され、該端部検出面とロールフィルムの側面とを平行に押し当ててフィルム端部を接着し、ロールフィルムを回転させてフィルム端部を引き出すことを特徴とするフィルム端部の引出し具。
【請求項３】
長尺な帯状フィルムが筒状に巻かれたロールフィルムに使用され、該ロールフィルムの側面に密着したフィルム端部をロールフィルム側面から引き離す引出し具を備えたロールフィルム用の収納箱において、該収納箱は、ロールフィルムを収納する箱本体と、該箱本体の長手方向に沿った開口部に揺動自在に設けられた蓋体とからなり、引出し具は、ロールフィルムの長手側面に当接する収納箱のいずれかの側板を当接体とすると共に、該当接体の平面部にロールフィルムが着脱自在に接着される粘着剤を付着して端部検出面を形成し、該端部検出面にロールフィルムを平行に押し当ててフィルム端部を接着すると共に、ロールフィルムを回転させてフィルム端部を引き出すことを特徴とする引出し具を備えた収納箱。
【請求項４】
前記引出し具は、前記蓋体の天板を前記当接体とすると共に、該天板の内側面を前記平面部とし、該内側面に前記粘着剤を付着して前記端部検出面が形成された請求項３記載の引出し具を備えた収納箱。
【請求項５】
前記粘着剤は、エラストマー系溶剤形の粘着剤を使用する請求項３又は４記載の引出し具を備えた収納箱。
【発明の詳細な説明】
【技術分野】
【０００１】
本発明は、食品用ラップフィルム等を筒状に巻回したロールフィルムにおいて、該ロールフィルムの側面に密着したフィルム端部を簡単に引出すことができるフィルム端部の引出し方法及び引出し具又は引出し具を備えた収納箱に関する。
【背景技術】
【０００２】
食品用ラップ等のフィルムは、厚さ十数μmのプラスチックフィルムが筒状に巻き付けられている(以下、ロールフィルムと称する)。そして、フィルムの端部がロールフィルムの側面に接触すると、静電気の作用などによってフィルム端部が密着状態になる。そのため、このフィルム端部の検出が困難な作業になっていた。しかも、やっと検出したフィルム端部をつまんで剥がそうとすると、つまんだ一部からフィルムが裂けてしまい、均等に引き出すことができなくなることも多い。このように、密着状態のフィルム端部をロールフィルムから引き出すには極めて面倒な手間を要していた。
【０００３】
一方、この種のロールフィルムが食品用ラップフィルムとして使用される場合、ロールフィルムを切断するカッターを備えた収納箱に収納されている。そして、該収納箱から必要な長さだけ引き出してカッターで切断する。このような収納箱では、ロールフィルムが巻き戻ったり、不用意に飛び出したりしてフィルム端部がロールフィルムの側面に密着しないようにするための工夫が凝らされている。
【０００４】
例えば特許文献１に記載のラップフィルム用カートンでは、ラップフィルムを切断する位置の側壁に巻戻り防止層を設けている。そして、箱から引き出したラップフィルムをこの巻戻り防止層に密着せしめることで、ラップフィルムの巻き戻しを防止するものである。
【０００５】
また特許文献２に記載されたラップフィルムの収納箱では、箱の長さ方向の両端部にラップフィルムとの密着力が高い高密着面を形成し、該高密着面に切断後のフィルムを密着させることで、フィルムが逆戻りするのを防止すると共に、切り始めのフィルムのスリップを防止している。
【０００６】
さらに特許文献３では、収納箱の長手両端部の側面にロールフィルムの両端部を支える折込片等を設け、ロールフィルムが収納箱から不用意に飛び出すのを防止している。すなわち、収納箱からロールフィルムが不用意に飛び出した際に、このフィルム端部がロールフィルム側面に巻き付けられるのを予防するものである。
【０００７】
一方、市販されているロールフィルム用収納箱の説明書などには、既にフィルム端部がロールフィルムに密着してしまったときの対応策として、セロハンテープを使用してフィルム端部を見つける手順などが紹介されている。
【０００８】
また、布製のガムテープをロールフィルムの長手方向に貼り付けてから引き剥がす方法などもインターネット上の情報として公開されている。この方法によると、ロールフィルムの長手側面に沿って布製のガムテープを貼り付け、このガムテープの端を幅方向に沿って三等分すると共に、三等分された端の中央部分を長手方向に沿って強制的に切り離すと、ガムテープに接着されていたフィルムも同時に切り取られ、新しいフィルム端部が形成されるという方法である。
【特許文献１】特許第２６０８６１７号公報
【特許文献２】特許第２７０５８９９号公報
【特許文献３】実公昭６１‐４３７０２号公報
【発明の開示】
【発明が解決しようとする課題】
【０００９】
前記の各特許文献に例示されるごとく、従来のロールフィルム用の収納箱では、引き出したフィルム端部が巻き戻らないようにする工夫や、収納箱から不用意に飛び出さないようにする工夫などが数多く提案されている。ところが、このフィルム端部がロールフィルム側面に既に密着してしまったときに、フィルム端部を簡単に引き剥がす手段は極めて限定されており、前述のようなセロハンテープや、布製のガムテープなどに頼らざるを得ないものであった。ところが、布製のガムテープを使用する剥離手段は、接着状態の布製ガムテープを長手方向に沿って強制的に切り裂く手段であるから、指先の力やコツなどが必要になり、誰もが簡単に実行できる手段ではなかった。
【００１０】
一方、この種のロールフィルムは、静電気の作用だけでなく、物質の分子同士が近づくとお互いが引き合おうとする、所謂、ファンデルワース力やフィルム表面のわずかな粘着力などが複合的に作用してフィルム端部がロールフィルム側面に密着することが知られている。しかも、食品用フィルムは使用時に、のこぎり状のカッターで切断されているため、セロハンテープでフィルムの一部のみを接着して引き剥がそうとすると、接着した一部のみがフィルム端部から裂けてしまうことが多い。この場合、フィルム端部の裂けた一部のみが引き出され、残されたフィルム端部がロール側面に密着したまま周回遅れになる。このような状態では、もはやフィルム端部をもとの状態に引き出すことが極めて困難になり、フィルムの使用をあきらめてそのまま廃棄されることも少なくない。
【００１１】
そのため、ロールフィルムの側面に巻きついてしまったフィルム端部を引き出す手段は、たとえ接着テープや布製のガムテープなどを使用したとしても極めて面倒な作業にならざるを得ず、誰でも簡単に使いこなすことができるフィルム端部の引き出し手段が望まれていた。
【００１２】
そこで本発明は上述の課題を解決すべく創出されたもので、既にロールフィルムの側面に密着してしまったフィルム端部を、誰もが簡単に引き出すことができるフィルム端部の引出し方法及び引出し具又は引出し具を備えた収納箱の提供を目的とするものである。
【課題を解決するための手段】
【００１３】
上述の目的を達成するため本発明における第１の手段は、長尺な帯状フィルムが筒状に巻かれたロールフィルムＰを使用し、該ロールフィルムの側面に密着したフィルム端部Ｐ１を該ロールフィルムＰ側面から引き離すフィルム端部の引出し方法において、ロールフィルムＰの長手側面の全長が当接可能な範囲の平面部１Ａに、該ロールフィルムＰが着脱自在に接着される粘着剤２を付着して端部検出面３を形成し、ロールフィルムＰの長手側面を端部検出面３に密着するように押し当て、端部検出面３にフィルム端部Ｐ１を接着した後、ロールフィルムＰを回転させてフィルム端部Ｐ１を引き出す方法にある。
【００１４】
第２の手段は、長尺な帯状フィルムが筒状に巻かれたロールフィルムＰに使用され、該ロールフィルムＰの側面に密着したフィルム端部Ｐ１をロールフィルムＰ側面から引き離すフィルム端部の引出し具１００において、該引出し具１００は、ロールフィルムＰの長手側面の全長が当接可能な平面部１Ａを有する当接体１と、該当接体１の平面部１ＡにロールフィルムＰが着脱自在に接着される粘着剤２を付着して形成された端部検出面３とで構成され、該端部検出面３とロールフィルムＰの側面とを平行に押し当ててフィルム端部Ｐ１を接着し、ロールフィルムＰを回転させてフィルム端部Ｐ１を引き出す引出し具である。
【００１５】
第３の手段は、長尺な帯状フィルムが筒状に巻かれたロールフィルムＰに使用され、該ロールフィルムＰの側面に密着したフィルム端部Ｐ１をロールフィルムＰ側面から引き離す引出し具１００を備えたロールフィルム用の収納箱２００において、該収納箱２００は、ロールフィルムＰを収納する箱本体１０と、該箱本体１０の長手方向に沿った開口部に揺動自在に設けられた蓋体２０とからなり、引出し具１００は、ロールフィルムＰの長手側面に当接する収納箱２００のいずれかの側板を当接体１とすると共に、該当接体１の平面部１ＡにロールフィルムＰが着脱自在に接着される粘着剤２を付着して端部検出面３を形成し、該端部検出面３にロールフィルムＰを平行に押し当ててフィルム端部Ｐ１を接着すると共に、ロールフィルムＰを回転させてフィルム端部Ｐ１を引き出すことができる収納箱にある。
【００１６】
第４の手段の前記引出し具１００は、前記蓋体２０の天板２１を前記当接体１とすると共に、該天板２１の内側面２１Ａを前記平面部１Ａとし、該内側面２１Ａに前記粘着剤２を付着して前記端部検出面３が形成されたものである。
【００１７】
第５の手段の前記粘着剤２は、エラストマー系溶剤形の粘着剤２を使用することを課題解消のための手段とする。
【発明の効果】
【００１８】
本発明の請求項１によると、ロールフィルムＰの長手側面を端部検出面３に密着するように押し当て、端部検出面３にフィルム端部Ｐ１を接着することによって、フィルム端部Ｐ１を、極めて簡単に見つけ出すことができる。すなわち、これまでフィルム端部Ｐ１の一部から全体を探すといった発想を転換し、ロールフィルムＰの長手側面全体からフィルム端部Ｐ１を探すといった逆転の発想により、ロールフィルムＰを回転させるだけの簡単な操作でフィルム端部Ｐ１を引き出すことに成功したものである。
【００１９】
この結果、これまでのセロハンテープや布製ガムテープを使用しなくても、ロールフィルムＰを端部検出面３に着脱自在に押し当てて回転させるだけで、誰でも簡単にフィルム端部Ｐ１を引き出すことが可能になった。しかも、フィルム端部Ｐ１の全長を端部検出面３に接着した状態でフィルム端部Ｐ１を引き出すことから、セロハンテープなどによって部分的に引き剥がしたときのように、フィルム端部Ｐ１の一部が周囲から切り離され、かえって修復が困難になるような不都合も全くなくなった。
【００２０】
しかも、フィルム端部Ｐ１が周回遅れなど、不揃いに密着した状態になっているロールフィルムＰであっても、ロールフィルムＰの長手側面を端部検出面３に平行に押し当てることで、フィルム端部Ｐ１を順次探し出すことができる。したがって、周回遅れになっているフィルム端部Ｐ１でも簡単に順次引き出すことも可能になる。
【００２１】
請求項２の引出し具１００は、ロールフィルムＰの長手側面の全長が当接可能な平面部１Ａを有する当接体１と、該当接体１の平面部１ＡにロールフィルムＰが着脱自在に接着される粘着剤２を付着して形成された端部検出面３とで構成されているので、引出し具１００自体の構成としては極めてシンプルな構成になる。したがって、ロールフィルムＰの長手側面の全長を当接体１の端部検出面３に平行に押し当てることができる平面部１Ａを有するものであれば、どのような部材でも本発明の引出し具１００として利用することが可能になる。この結果、ロールフィルムＰの用途に応じて自由な形状の引出し具１００を提供することができる。
【００２２】
請求項３に記載の収納箱２００は、ロールフィルムＰを収納する箱本体１０と、該箱本体１０の長手方向に沿った開口部に揺動自在に設けられた蓋体２０とからなり、引出し具１００は、ロールフィルムＰの長手側面に当接する収納箱２００のいずれかの側板を当接体１とするので、本発明引出し具１００を常にロールフィルムＰのそばに設置することができる。したがって、いつ、どのような場所でもロールフィルムＰと共に、引出し具１００を使用することが可能になる。
【００２３】
請求項４に記載の収納箱２００では、蓋体２０の天板２１を当接体１とし、該天板２１の内側面２１Ａに端部検出面３を設けている。このように構成したことで、蓋体２０を開けるだけで引出し具１００の使用が可能になる。さらに、フィルム端部Ｐ１を引き出した後は、ロールフィルムＰを蓋体２０から箱本体１０に戻し、収納箱２００に予め設けられているカッターを利用して切断することで、再び通常どおりの使用ができるようになる。このように、引出し具１００の使用が極めて合理的になり、始めて使用する者でも直感的な使用を可能にしている。
【００２４】
しかも、天板２１の内側面２１Ａに端部検出面３を設けているので、不使用時における端部検出面３の粘着剤２がロールフィルムＰの通常の使用を妨げることがなく使用者の目に触れることもない。また、不使用時の端部検出面３に塵などが付着せず清潔な使用が可能である。
【００２５】
請求項５に記載の粘着剤２により、フィルム端部Ｐ１を着脱自在に貼り直しでき、端部検出面３にロールフィルムＰを押し付けながらフィルム端部Ｐ１を検出する作業が容易になる。また、接着力が微弱なエラストマー系溶剤形の粘着剤２を使用できるので、この粘着剤２に他の部材等が間違って接着した場合でも容易に除去することができるなど、使用時の不都合も極めて少ない。
【００２６】
このように本発明によると、ロールフィルムの側面に巻きついてしまったフィルム端部を、極めて容易に見つけ出し、誰もが簡単に引き出すことができるなどといった産業上有益な種々の効果を奏するものである。
【発明を実施するための最良の形態】
【００２７】
本発明の最良の形態は、ロールフィルムＰの長手側面が平行に当接自在となる平面部１Ａを有する当接体１と、該当接体１の平面部１Ａ表面に粘着剤２を付着して形成された端部検出面３とでフィルム端部の引出し具１００を構成する。このとき、引出し具１００は、ロールフィルムＰを収納する箱本体１０と、該箱本体１０の長手方向に沿った開口部に揺動自在に設けられた蓋体２０に設置するものとし、特に、蓋体２０の天板２１を前記当接体１とすると共に、該天板２１の内側面２１Ａを前記平面部１Ａとし、該内側面２１Ａの表面に粘着剤２を付着して端部検出面３が形成された引出し具１００とする。そして、ロールフィルムＰの長手側面を当接体１の端部検出面３に平行に押し当ててフィルム端部Ｐ１を接着し、フィルムが開く方向にロールフィルムＰを回転させてフィルム端部Ｐ１を引き出すように設けた収納箱２００により当初の目的を達成するものである。
【実施例】
【００２８】
以下、本発明の一実施例を説明する。本発明引出し方法は、長尺な帯状フィルムが筒状に巻かれたロールフィルムＰにおいて実施される。すなわち、ロールフィルムＰの側面に密着したフィルム端部Ｐ１を簡単に見つけ出して引き出す方法である。このロールフィルムＰの材質や用途は限定されないが、特に食品用ラップフィルム等の包装用ラップあるいはストレッチフィルムなど、薄いフィルムを巻きつけたロールフィルムＰのフィルム端部を引出すのに有効である(図１参照)。
【００２９】
本発明引出し方法は、最初にロールフィルムＰの長手側面の全長が当接自在となる任意の部材の平面部１Ａに粘着剤２を付着して端部検出面３を形成する(図１参照)。この粘着剤２は、端部検出面３に接着したロールフィルムＰが、該端部検出面３上で貼り直し自在になる程度の比較的弱い接着力を有する粘着剤２の使用が好適である。
【００３０】
次に、端部検出面３を使用してフィルム端部Ｐ１端部の位置を探し出す。すなわち、ロールフィルムＰを持ってロールフィルムＰの長手側面の全長を端部検出面３に平行に押し当てる(図２(イ)参照)。次に、このロールフィルムＰを押し当てながら少しずつ円周方向に回転させて行く(同図(ロ)参照)。
【００３１】
この手順を繰り返してロールフィルムＰの当接面を順次変えて行くと、フィルム端部Ｐ１の一部又は全体が端部検出面３に接着された状態で検出される。そこで、フィルム端部Ｐ１の一部が見つかった場合、ロールフィルムＰの当接位置を貼り直してフィルム端部Ｐ１の長手部分を端部検出面３に接着する。
【００３２】
そして、フィルム端部Ｐ１の長手部分を端部検出面３に接着した後、フィルムが開く方向へロールフィルムＰを回転させると、端部検出面３に残されたフィルム端部Ｐ１がロールフィルムＰ側面から引き出された状態になる(図２(ハ)参照)。
【００３３】
また、該検出時において、フィルム端部Ｐ１の長手部分の全体が端部検出面３に一度で接着されることも多い。この場合は、そのままロールフィルムＰを回転させるだけのワンタッチ操作でフィルム端部Ｐ１を引き出すことができる(図２(ハ)参照)。
【００３４】
フィルム端部Ｐ１が斜めに切断されている場合など、フィルム端部Ｐ１の長手全体を端部検出面３に一度で接着できない状態では、できるだけフィルム端部Ｐ１を長めに接着し、引き出す面積が広くなるように貼り直しながら調整し、最終的にフィルム端部Ｐ１の長手全体が接着できるようにする。
【００３５】
フィルム端部Ｐ１の一部が周回遅れになっている場合は最も困難な修復作業になっていた。この場合でも次の手順で容易に修復可能になる。まずロールフィルムＰの各端部に近接するフィルム端部Ｐ１をそれぞれ検出する。この検出には、ロールフィルムＰの長手側面全体を端部検出面３に当接するのではなく、ロールフィルムＰを端部検出面３に対して横向きに押し当てる(図３参照)。そして、ロールフィルムＰの一方の長手端部のみが端部検出面３に当接した状態でロールフィルムＰを回転させるとフィルム端部Ｐ１を容易に検出できる。
【００３６】
このような手順でロールフィルムＰの長手両端部にあるフィルム端部Ｐ１をそれぞれ検出すると、引き出しが先行しているフィルム端部Ｐ１と周回遅れのフィルム端部Ｐ１とが別々に検出されるので、周回遅れのフィルム端部Ｐ１を引き出し、先行しているフィルム端部Ｐ１に揃える。このように、フィルム端部Ｐ１を修復する手順は、フィルム端部Ｐ１の状態に応じて適宜に変更することができる。
【００３７】
本発明引出し具１００は、当接体１と端部検出面３とで構成される(図１参照)。すなわち、当接体１は、ロールフィルムＰの長手側面が当接自在となる平面部１Ａを有する部材を使用する。さらに当接体１の平面部１Ａに粘着剤２を付着して端部検出面３を形成する。
【００３８】
また、本発明引出し具１００は、独立した引出し具１００として構成する(図４参照)ほか、ロールフィルムＰを収納する収納箱２００の一部や(図１参照)、テーブルの天板の一部などを引出し具１００として形成することも可能である。
【００３９】
独立した引出し具１００を構成する場合、ロールフィルムＰ側面の全長が当接可能になる平面部１Ａを有する部材が当接体１の対象になる。したがって、平面部１Ａを有する任意の形状の物品を当接体１として使用することができる(図４参照)。当接体１の材質も任意に選択できるもので、紙、合成樹脂、金属、皮革、木材など、ロールフィルムＰの側面を押し当てることが可能な材質であれば良い。
【００４０】
引出し具１００を使用するには、当接体１をテーブル等に置き、ロールフィルムＰを持って押し当てるほか、テーブル等にロールフィルムＰを置き、この上から引出し具１００を持って押し当てるといった使用も可能である。また、当接体１の平面部１Ａ以外の面は、平坦でなくてもよいので、当接体１を操作する取手４や、当接体１を固定する任意の台など適宜の加工等を施すことも可能である(図４参照)。
【００４１】
また、独立した引出し具１００を構成する場合、例えば合成樹脂材のように粘着性を有する材質を当接体１に使用することも可能である。この場合、粘着剤２は、平面部１Ａに後から付着するものではなく、当接体１が自ら持つ性質を粘着剤２として使用することになる。
【００４２】
当接体１の平面部１Ａは、ロールフィルムＰの長手側面の全長が当接する面として形成されている。したがって、ロールフィルムＰの円周に沿って湾曲する平面部１Ａであってもよい(図５参照)。また、柔軟な板状材やシート材を当接体１とし、ロールフィルムＰの側面を包むように押し当てる当接体１でもよい(図６参照)。このように、独立した引出し具１００は、当接体１の平面部１Ａが、ロールフィルムＰの長手側面の全長が当接する面を持つ部材であればよく、当接体１の形状、材質、硬度などは自由に設計変更することができる。
【００４３】
本発明で使用する粘着剤２は、当接体１の平面部１ＡにロールフィルムＰを着脱自在に接着するものである。したがって、端部検出面３に当接されたロールフィルムＰの側面が端部検出面３上で貼り直しが可能な粘着剤２を使用する。すなわち、粘着剤２の接着力は、端部検出面３に当接されたロールフィルムＰの側面が貼り付き、張り付いた後でロールフィルムＰが回転自在となる比較的弱い接着力であれば本発明引出し具１００の粘着剤２として使用可能である。
【００４４】
例えば、セロハンテープやガムテープの接着面に液体、粉末等を付着させて接着力を弱くすることで粘着剤２としての使用が可能である。また、実験によると、粘着剤２として、エラストマー系溶剤形の接着剤が粘着剤２として使用可能であることが明らかになった。この実験では、収納箱２００の蓋体２０を構成する用紙の非印刷面に、このエラストマー系溶剤形の接着剤を適量付着して端部検出面３を形成した場合でも粘着剤２として繰り返し使用可能であることが確認されている。
【００４５】
尚、このような粘着剤２は、本発明で使用する粘着剤２の一実施例にすぎず、ロールフィルムＰを着脱自在に貼り直しができる接着力を有するものなら、他の接着剤や粘着剤等に変更することが可能である。
【００４６】
さらに、粘着剤２を付着する面積は、広くなるほどフィルム端部Ｐ１を検出しやすくなる。しかしながら、必ずしも当接体１の平面部１Ａ全面に付着する必要はなく、ロールフィルムＰの長手側面の全長が接着可能になる程度の幅狭な帯状に限定して付着してもよい。また、端部検出面３は、フィルム端部Ｐ１の長手方向に沿った全長を接着するので、粘着剤２は平面部１Ａ上の全面に塗布してもよいが、粘着剤２を多数の点状に付着するなど、ある程度の間隔をおいて付着することも可能である。
【００４７】
さらに、粘着剤２の付着手段は、はけ塗り、印刷、吹付けなど、当接体１の平面部１Ａに粘着剤２を直に付着する手段がある。また、シートやフィルム等の平面部１Ａに粘着剤２を付着した当接体１を別途形成し、この当接体１を別の当接体１の平面部１Ａに接着するなどして使用することも可能である。
【００４８】
本発明収納箱として、ロールフィルムＰを収納する収納箱２００の一部を引出し具１００とする実施例を説明する(図１参照)。この収納箱２００は、ロールフィルムＰを収納する箱本体１０と、該箱本体１０の長手方向に沿った開口部に揺動自在に設けられた蓋体２０とからなる。
【００４９】
この場合の当接体１は、ロールフィルムＰの長手側面に当接する収納箱２００のいずれかの側板を当接体１とする。すなわち、収納箱２００の天板２１または側板２２または底板２３、若しくはこれらの組合せから選択することができる。そして、この当接体１の平面部１ＡにロールフィルムＰが着脱自在に接着される粘着剤２を付着して端部検出面３を形成する。また、独立したシート状、フィルム状等の平面部１Ａに粘着剤２を付着して引出し具１００を形成し、この引出し具１００を収納箱２００の平面部１Ａに装着して端部検出面３を形成することも可能である。
【００５０】
図示例では、蓋体２０の天板２１を当接体１とし、蓋体２０内部の内側面２１Ａを平面部１Ａとしている(図１参照)。そして、この内側面２１Ａに直接粘着剤２を付着して端部検出面３を形成し、蓋体２０を引出し具１００とするものである。
【００５１】
天板２１の内側面２１Ａを当接体１とした場合、蓋体２０を開くと引出し具１００の使用が可能になる。さらに、開いた蓋体２０の一側縁部は箱本体１０の開口側縁に連続しているので、当接体１の粘着剤２にフィルム端部Ｐ１を接着させた状態で、箱本体１０方向にロールフィルムＰを回転移動させることができる。この場合、片手で蓋体２０を支え、もう一方の手で持ったロールフィルムＰを内側面２１Ａに当接させるといった簡単な操作になる。
【００５２】
また、他の実施例として、底板２３を当接体１とし、この当接体１の外側面を端部検出面３とすることも可能である(図7参照)。この場合、粘着剤２が箱本体１０の外側に付着されるので、不使用時の端部検出面３を覆う剥離紙５等を端部検出面３に貼り付けておいてもよい。
【００５３】
尚、本発明は図示例に限定されるものではなく、当接体１や収納箱２００の形状や寸法等の設計変更、および当接体１や粘着剤２の材質の置換などは、本発明の要旨を変更しない範囲において自由に変更できるものである。
【図面の簡単な説明】
【００５４】
【図１】本発明の一実施例を示す斜視図である。
【図２】(イ)乃至(ハ)は本発明引出し方法の一実施例を示す側面図である。
【図３】本発明の他の端部検出方法を示す平面図である。
【図４】本発明の引出し具の他の実施例を示す斜視図である。
【図５】本発明の他の当接体を示す側面図である。
【図６】本発明の他の当接体を示す側面図である。
【図７】本発明の他の当接体の使用状態を示す側面図である。
【符号の説明】
【００５５】
Ｐ  ロールフィルム
Ｐ１  フィルム端部
１  当接体
１Ａ  平面部
２  粘着剤
３  端部検出面
４  取手
５  剥離紙
１０  箱本体
２０  蓋体
２１  天板
２１Ａ  内側面
２２  側板
２３  底板
１００  引出し具
２００  収納箱
【図１】
2010143594.tif 000003
【図２】
2010143594.tif 000004
【図３】
2010143594.tif 000005
【図４】
2010143594.tif 000006
【図５】
2010143594.tif 000007
【図６】
2010143594.tif 000008
【図７】
2010143594.tif 000009
【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
ロールフィルムを収納する箱本体と、該箱本体の開口部に揺動自在に設けられた蓋体とからなるロールフィルム用の収納箱において、蓋体の内側面にロールフィルムが着脱自在に接着される粘着剤を付着してロールフィルムのフィルム端部を引き出す引出し具を構成したことを特徴とするロールフィルム用収納箱。
【請求項２】
前記引出し具は、前記蓋体の天板を前記引出し具の当接体とすると共に、該当接体の内側面に前記粘着剤を付着して前記引出し具の端部検出面とし、該端部検出面にロールフィルムの長手側面の全長を平行に押し当てながら回転せしめるように構成された請求項1記載のロールフィルム用収納箱。
【請求項３】
前記粘着剤は、エラストマー系溶剤形の粘着剤を使用する請求項１又は２記載のロールフィルム用収納箱。
【手続補正２】
【補正対象書類名】明細書
【補正対象項目名】全文
【補正方法】変更
【補正の内容】
【発明の詳細な説明】
【技術分野】
【０００１】
本発明は、食品用ラップフィルム等を筒状に巻回したロールフィルムにおいて、該ロールフィルムの側面に密着したフィルム端部を簡単に引出すことができるロールフィルム用収納箱に関する。
【背景技術】
【０００２】
食品用ラップ等のフィルムは、厚さ十数μmのプラスチックフィルムが筒状に巻き付けられている(以下、ロールフィルムと称する)。そして、フィルムの端部がロールフィルムの側面に接触すると、静電気の作用などによってフィルム端部が密着状態になる。そのため、このフィルム端部の検出が困難な作業になっていた。しかも、やっと検出したフィルム端部をつまんで剥がそうとすると、つまんだ一部からフィルムが裂けてしまい、均等に引き出すことができなくなることも多い。このように、密着状態のフィルム端部をロールフィルムから引き出すには極めて面倒な手間を要していた。
【０００３】
一方、この種のロールフィルムが食品用ラップフィルムとして使用される場合、ロールフィルムを切断するカッターを備えた収納箱に収納されている。そして、該収納箱から必要な長さだけ引き出してカッターで切断する。このような収納箱では、ロールフィルムが巻き戻ったり、不用意に飛び出したりしてフィルム端部がロールフィルムの側面に密着しないようにするための工夫が凝らされている。
【０００４】
例えば特許文献１に記載のラップフィルム用カートンでは、ラップフィルムを切断する位置の側壁に巻戻り防止層を設けている。そして、箱から引き出したラップフィルムをこの巻戻り防止層に密着せしめることで、ラップフィルムの巻き戻しを防止するものである。
【０００５】
また特許文献２に記載されたラップフィルムの収納箱では、箱の長さ方向の両端部にラップフィルムとの密着力が高い高密着面を形成し、該高密着面に切断後のフィルムを密着させることで、フィルムが逆戻りするのを防止すると共に、切り始めのフィルムのスリップを防止している。
【０００６】
さらに特許文献３では、収納箱の長手両端部の側面にロールフィルムの両端部を支える折込片等を設け、ロールフィルムが収納箱から不用意に飛び出すのを防止している。すなわち、収納箱からロールフィルムが不用意に飛び出した際に、このフィルム端部がロールフィルム側面に巻き付けられるのを予防するものである。
【０００７】
一方、市販されているロールフィルム用収納箱の説明書などには、既にフィルム端部がロールフィルムに密着してしまったときの対応策として、セロハンテープを使用してフィルム端部を見つける手順などが紹介されている。
【０００８】
また、布製のガムテープをロールフィルムの長手方向に貼り付けてから引き剥がす方法などもインターネット上の情報として公開されている。この方法によると、ロールフィルムの長手側面に沿って布製のガムテープを貼り付け、このガムテープの端を幅方向に沿って三等分すると共に、三等分された端の中央部分を長手方向に沿って強制的に切り離すと、ガムテープに接着されていたフィルムも同時に切り取られ、新しいフィルム端部が形成されるという方法である。
【特許文献１】特許第２６０８６１７号公報
【特許文献２】特許第２７０５８９９号公報
【特許文献３】実公昭６１‐４３７０２号公報
【発明の開示】
【発明が解決しようとする課題】
【０００９】
前記の各特許文献に例示されるごとく、従来のロールフィルム用の収納箱では、引き出したフィルム端部が巻き戻らないようにする工夫や、収納箱から不用意に飛び出さないようにする工夫などが数多く提案されている。ところが、このフィルム端部がロールフィルム側面に既に密着してしまったときに、フィルム端部を簡単に引き剥がす手段は極めて限定されており、前述のようなセロハンテープや、布製のガムテープなどに頼らざるを得ないものであった。ところが、布製のガムテープを使用する剥離手段は、接着状態の布製ガムテープを長手方向に沿って強制的に切り裂く手段であるから、指先の力やコツなどが必要になり、誰もが簡単に実行できる手段ではなかった。
【００１０】
一方、この種のロールフィルムは、静電気の作用だけでなく、物質の分子同士が近づくとお互いが引き合おうとする、所謂、ファンデルワース力やフィルム表面のわずかな粘着力などが複合的に作用してフィルム端部がロールフィルム側面に密着することが知られている。しかも、食品用フィルムは使用時に、のこぎり状のカッターで切断されているため、セロハンテープでフィルムの一部のみを接着して引き剥がそうとすると、接着した一部のみがフィルム端部から裂けてしまうことが多い。この場合、フィルム端部の裂けた一部のみが引き出され、残されたフィルム端部がロール側面に密着したまま周回遅れになる。このような状態では、もはやフィルム端部をもとの状態に引き出すことが極めて困難になり、フィルムの使用をあきらめてそのまま廃棄されることも少なくない。
【００１１】
そのため、ロールフィルムの側面に巻きついてしまったフィルム端部を引き出す手段は、たとえ接着テープや布製のガムテープなどを使用したとしても極めて面倒な作業にならざるを得ず、誰でも簡単に使いこなすことができるフィルム端部の引き出し手段が望まれていた。
【００１２】
そこで本発明は上述の課題を解決すべく創出されたもので、既にロールフィルムの側面に密着してしまったフィルム端部を、誰もが簡単に引き出すことができるロールフィルム用収納箱の提供を目的とするものである。
【課題を解決するための手段】
【００１３】
上述の目的を達成するため本発明における第１の手段は、ロールフィルムＰを収納する箱本体１０と、該箱本体１０の開口部に揺動自在に設けられた蓋体２０とからなるロールフィルム用の収納箱２００において、蓋体２０の内側面２１ＡにロールフィルムＰが着脱自在に接着される粘着剤２を付着してロールフィルムＰのフィルム端部Ｐ１を引き出す引出し具１００を構成したことにある。
【００１４】
第２の手段において、前記引出し具１００は、前記蓋体２０の天板２１を前記引出し具１００の当接体１とすると共に、該当接体１の内側面に前記粘着剤２を付着して前記引出し具１００の端部検出面３とし、該端部検出面３にロールフィルムＰの長手側面の全長を平行に押し当てながら回転せしめるように構成されたものである。
【００１５】
第３の手段の前記粘着剤２は、エラストマー系溶剤形の粘着剤２を使用することを課題解消のための手段とする。
【発明の効果】
【００１６】
請求項１、２に記載のような引出し具１００を設けたことで、蓋体２０を開けるだけで引出し具１００の使用が可能になる。すなわち、ロールフィルムＰの長手側面を端部検出面３に密着するように押し当て、端部検出面３にフィルム端部Ｐ１を接着することによって、フィルム端部Ｐ１を、極めて簡単に見つけ出すことができる。
【００１７】
また、フィルム端部Ｐ１の全長を端部検出面３に接着した状態でフィルム端部Ｐ１を引き出すことから、セロハンテープなどによって部分的に引き剥がしたときのように、フィルム端部Ｐ１の一部が周囲から切り離され、かえって修復が困難になるような不都合も全くなくなった。
【００１８】
さらに、フィルム端部Ｐ１が周回遅れなど、不揃いに密着した状態になっているロールフィルムＰであっても、ロールフィルムＰの長手側面を端部検出面３に平行に押し当てて回転させることで、フィルム端部Ｐ１を順次探し出すことができる。したがって、周回遅れになっているフィルム端部Ｐ１でも簡単に引き出すことも可能になる。
【００１９】
しかも、フィルム端部Ｐ１を引き出した後は、ロールフィルムＰを蓋体２０から箱本体１０に戻し、収納箱２００に予め設けられているカッターを利用して切断することで、再び通常どおりの使用ができるようになる。このように、引出し具１００の使用が極めて合理的になり、始めて使用する者でも直感的な使用を可能にしている。
【００２０】
また、天板２１の内側面２１Ａに端部検出面３を設けているので、不使用時における端部検出面３の粘着剤２がロールフィルムＰの通常の使用を妨げることがなく使用者の目に触れることもない。さらに、不使用時の端部検出面３に塵などが付着せず清潔な使用が可能である。
【００２１】
請求項３に記載の粘着剤２により、フィルム端部Ｐ１を着脱自在に貼り直しでき、端部検出面３にロールフィルムＰを押し付けながらフィルム端部Ｐ１を検出する作業が容易になる。また、接着力が微弱なエラストマー系溶剤形の粘着剤２を使用できるので、この粘着剤２に他の部材等が間違って接着した場合でも容易に除去することができるなど、使用時の不都合も極めて少ない。
【００２２】
このように本発明によると、ロールフィルムの側面に巻きついてしまったフィルム端部を、極めて容易に見つけ出し、誰もが簡単に引き出すことができるなどといった産業上有益な種々の効果を奏するものである。
【発明を実施するための最良の形態】
【００２３】
本発明の最良の形態は、ロールフィルムＰの長手側面が平行に当接自在となる平面部１Ａを有する当接体１と、該当接体１の平面部１Ａ表面に粘着剤２を付着して形成された端部検出面３とでフィルム端部の引出し具１００を構成する。このとき、引出し具１００は、ロールフィルムＰを収納する箱本体１０と、該箱本体１０の長手方向に沿った開口部に揺動自在に設けられた蓋体２０に設置するものとし、特に、蓋体２０の天板２１を前記当接体１とすると共に、該天板２１の内側面２１Ａを前記平面部１Ａとし、該内側面２１Ａの表面に粘着剤２を付着して端部検出面３が形成された引出し具１００とする。そして、ロールフィルムＰの長手側面を当接体１の端部検出面３に平行に押し当ててフィルム端部Ｐ１を接着し、フィルムが開く方向にロールフィルムＰを回転させてフィルム端部Ｐ１を引き出すように設けた収納箱２００により当初の目的を達成するものである。
【実施例】
【００２４】
以下、本発明の一実施例を説明する。本発明収納箱は、ロールフィルムＰを収納する収納箱２００の一部を引出し具１００とする(図１参照)。すなわち、ロールフィルムＰを収納する箱本体１０と、該箱本体１０の開口部に揺動自在に設けられた蓋体２０とからなるロールフィルム用の収納箱２００を使用する。そして、蓋体２０の内側面２１ＡにロールフィルムＰが着脱自在に接着される粘着剤２を付着することで、ロールフィルムＰのフィルム端部Ｐ１を引き出す引出し具１００を構成している。
【００２５】
収納箱２００に収納するロールフィルムＰの材質や用途は限定されないが、特に食品用ラップフィルム等の包装用ラップあるいはストレッチフィルムなど、薄いフィルムを巻きつけたロールフィルムＰを予定している(図１参照)。ロールフィルムＰが食品用ラップフィルムとして使用される場合、このロールフィルムＰは、ロールフィルムＰを切断するカッターを備えた収納箱２００に収納されている。
【００２６】
このような収納箱２００において、箱本体１０から開いた蓋体２０の一側縁部は、箱本体１０の開口側縁に連続している(図１参照)。そのため、当接体１の粘着剤２にフィルム端部Ｐ１を接着させた状態で、箱本体１０方向にロールフィルムＰを回転移動させることができる。したがって、片手で蓋体２０を支え、もう一方の手で持ったロールフィルムＰを内側面２１Ａに当接させるといった簡単な操作になる。
【００２７】
一方、本発明引出し具１００は、蓋体２０の天板２１で形成された当接体１と、該天板２１の内側面２１Ａにて形成された平面部１Ａと、該平面部１ＡにロールフィルムＰが着脱自在に接着される粘着剤２を付着して形成された端部検出面３とで構成されている。
【００２８】
本発明で使用する粘着剤２は、当接体１の平面部１ＡにロールフィルムＰを着脱自在に接着するものである。したがって、端部検出面３に当接されたロールフィルムＰの側面が端部検出面３上で貼り直しが可能な粘着剤２を使用する。すなわち、粘着剤２の接着力は、端部検出面３に当接されたロールフィルムＰの側面が貼り付き、張り付いた後でロールフィルムＰが回転自在となる比較的弱い接着力であれば本発明引出し具１００の粘着剤２として使用可能である。
【００２９】
例えば、セロハンテープやガムテープ等の接着面に液体、粉末等を付着させて接着力を弱くすることで粘着剤２としての使用が可能である。また、実験によると、粘着剤２として、エラストマー系溶剤形の接着剤が粘着剤２として使用可能であることが明らかになった。この実験では、収納箱２００の蓋体２０を構成する用紙の非印刷面に、このエラストマー系溶剤形の接着剤を適量付着して端部検出面３を形成した場合でも粘着剤２として繰り返し使用可能であることが確認されている。
【００３０】
尚、このような粘着剤２は、本発明で使用する粘着剤２の一実施例にすぎず、ロールフィルムＰを着脱自在に貼り直しができる接着力を有するものなら、他の接着剤や粘着剤等に変更することが可能である。
【００３１】
さらに、粘着剤２を付着する面積は、広くなるほどフィルム端部Ｐ１を検出しやすくなる。しかしながら、必ずしも当接体１の平面部１Ａ全面に付着する必要はなく、ロールフィルムＰの長手側面の全長が接着可能になる程度の幅狭な帯状に限定して付着してもよい。また、端部検出面３は、フィルム端部Ｐ１の長手方向に沿った全長を接着するので、粘着剤２は平面部１Ａ上の全面に塗布してもよいが、粘着剤２を多数の点状に付着するなど、ある程度の間隔をおいて付着することも可能である。
【００３２】
さらに、粘着剤２の付着手段は、はけ塗り、印刷、吹付けなど、当接体１の平面部１Ａに粘着剤２を直に付着する手段がある。また、シートやフィルム等の平面部１Ａに粘着剤２を付着した当接体１を別途形成し、この当接体１を蓋体２０の当接体１に接着するなどして使用することも可能である。
【００３３】
本発明引出し具１００の使用方法は、ロールフィルムＰを持ってロールフィルムＰの長手側面の全長を端部検出面３に平行に押し当てる(図２(イ)参照)。次に、このロールフィルムＰを押し当てながら少しずつ円周方向に回転させて行く(同図(ロ)参照)。
【００３４】
この手順を繰り返してロールフィルムＰの当接面を順次変えて行くと、フィルム端部Ｐ１の一部又は全体が端部検出面３に接着された状態で検出される。そこで、フィルム端部Ｐ１の一部が見つかった場合、ロールフィルムＰの当接位置を貼り直してフィルム端部Ｐ１の長手部分を端部検出面３に接着する。
【００３５】
そして、フィルム端部Ｐ１の長手部分を端部検出面３に接着した後、フィルムが開く方向へロールフィルムＰを回転させると、端部検出面３に残されたフィルム端部Ｐ１がロールフィルムＰ側面から引き出された状態になる(図２(ハ)参照)。
【００３６】
また、該検出時において、フィルム端部Ｐ１の長手部分の全体が端部検出面３に一度で接着されることも多い。この場合は、そのままロールフィルムＰを回転させるだけのワンタッチ操作でフィルム端部Ｐ１を引き出すことができる(図２(ハ)参照)。
【００３７】
フィルム端部Ｐ１が斜めに切断されている場合など、フィルム端部Ｐ１の長手全体を端部検出面３に一度で接着できない状態では、できるだけフィルム端部Ｐ１を長めに接着し、引き出す面積が広くなるように貼り直しながら調整し、最終的にフィルム端部Ｐ１の長手全体が接着できるようにする。
【００３８】
フィルム端部Ｐ１の一部が周回遅れになっている場合は最も困難な修復作業になっていた。この場合でも次の手順で容易に修復可能になる。まずロールフィルムＰの長手端部に近接するフィルム端部Ｐ１を検出する。この検出には、ロールフィルムＰの長手側面全体を端部検出面３に当接するのではなく、ロールフィルムＰを端部検出面３に対して横向きに押し当てる(図３参照)。そして、ロールフィルムＰの一方の長手端部のみが端部検出面３に当接した状態でロールフィルムＰを回転させるとフィルム端部Ｐ１を容易に検出できる。このような手順でロールフィルムＰの長手両端部にあるフィルム端部Ｐ１をそれぞれ検出すると、引き出しが先行しているフィルム端部Ｐ１と周回遅れのフィルム端部Ｐ１とが別々に検出されるので、周回遅れのフィルム端部Ｐ１を引き出し、先行しているフィルム端部Ｐ１に揃える。
【００３９】
このように、フィルム端部Ｐ１を修復する手順は、フィルム端部Ｐ１の状態に応じて適宜に変更することができる。
【００４０】
尚、本発明は図示例に限定されるものではなく、引出し具１００や収納箱２００の形状や寸法等の設計変更、および当接体１や粘着剤２の材質の置換などは、本発明の要旨を変更しない範囲において自由に変更できるものである。
【図面の簡単な説明】
【００４１】
【図１】本発明の一実施例を示す斜視図である。
【図２】(イ)乃至(ハ)は本発明引出し方法の一実施例を示す側面図である。
【図３】本発明の他の端部検出方法を示す平面図である。
【符号の説明】
【００４２】
Ｐ  ロールフィルム
Ｐ１  フィルム端部
１  当接体
１Ａ  平面部
２  粘着剤
３  端部検出面
１０  箱本体
２０  蓋体
２１  天板
２１Ａ  内側面
２２  側板
２３  底板
１００  引出し具
２００  収納箱
【手続補正３】
【補正対象書類名】図面
【補正対象項目名】図７
【補正方法】削除
【補正の内容】
【手続補正４】
【補正対象書類名】図面
【補正対象項目名】図６
【補正方法】削除
【補正の内容】
【手続補正５】
【補正対象書類名】図面
【補正対象項目名】図５
【補正方法】削除
【補正の内容】
【手続補正６】
【補正対象書類名】図面
【補正対象項目名】図４
【補正方法】削除
【補正の内容】
【手続補正書】
【提出日】平成21年7月22日(2009.7.22)
【手続補正１】
【補正対象書類名】特許請求の範囲
【補正対象項目名】全文
【補正方法】変更
【補正の内容】
【特許請求の範囲】
【請求項１】
長尺な帯状フィルムが筒状に巻かれたロールフィルムを使用し、該ロールフィルムの側面に密着したフィルム端部を該ロールフィルム側面から引き離すフィルム端部の引出し方法において、ロールフィルムの長手側面の全長が当接可能な範囲の平面部に、該ロールフィルムが着脱自在に接着される粘着剤を付着して端部検出面を形成し、ロールフィルムの長手側面を端部検出面に密着するように押し当て、端部検出面にフィルム端部を接着した後、ロールフィルムを回転させてフィルム端部を引き出すことを特徴とするフィルム端部の引出し方法。
【請求項２】
長尺な帯状フィルムが筒状に巻かれたロールフィルムに使用され、該ロールフィルムの側面に密着したフィルム端部をロールフィルム側面から引き離すフィルム端部の引出し具において、該引出し具は、ロールフィルムの長手側面の全長が当接可能な平面部を有する当接体と、該当接体の平面部にロールフィルムが着脱自在に接着される粘着剤を付着して形成された端部検出面とで構成され、該端部検出面とロールフィルムの側面とを平行に押し当ててフィルム端部を接着し、ロールフィルムを回転させてフィルム端部を引き出すことを特徴とするフィルム端部の引出し具。
【請求項３】
長尺な帯状フィルムが筒状に巻かれたロールフィルムに使用され、該ロールフィルムの側面に密着したフィルム端部をロールフィルム側面から引き離す引出し具を備えたロールフィルム用の収納箱において、該収納箱は、ロールフィルムを収納する箱本体と、該箱本体の長手方向に沿った開口部に揺動自在に設けられた蓋体とからなり、前記引出し具は、前記蓋体の天板を前記引出し具の当接体とすると共に、該当接体の内側面に前記粘着剤を付着して前記引出し具の端部検出面とし、該端部検出面にロールフィルムの長手側面の全長を平行に押し当てながら回転せしめるように構成されたことを特徴とする引出し具を備えた収納箱。
【手続補正２】
【補正対象書類名】明細書
【補正対象項目名】全文
【補正方法】変更
【補正の内容】
【発明の詳細な説明】
【技術分野】
【０００１】
本発明は、食品用ラップフィルム等を筒状に巻回したロールフィルムにおいて、該ロールフィルムの側面に密着したフィルム端部を簡単に引出すことができるフィルム端部の引出し方法及び引出し具又は引出し具を備えた収納箱に関する。
【背景技術】
【０００２】
食品用ラップ等のフィルムは、厚さ十数μmのプラスチックフィルムが筒状に巻き付けられている(以下、ロールフィルムと称する)。そして、フィルムの端部がロールフィルムの側面に接触すると、静電気の作用などによってフィルム端部が密着状態になる。そのため、このフィルム端部の検出が困難な作業になっていた。しかも、やっと検出したフィルム端部をつまんで剥がそうとすると、つまんだ一部からフィルムが裂けてしまい、均等に引き出すことができなくなることも多い。このように、密着状態のフィルム端部をロールフィルムから引き出すには極めて面倒な手間を要していた。
【０００３】
一方、この種のロールフィルムが食品用ラップフィルムとして使用される場合、ロールフィルムを切断するカッターを備えた収納箱に収納されている。そして、該収納箱から必要な長さだけ引き出してカッターで切断する。このような収納箱では、ロールフィルムが巻き戻ったり、不用意に飛び出したりしてフィルム端部がロールフィルムの側面に密着しないようにするための工夫が凝らされている。
【０００４】
例えば特許文献１に記載のラップフィルム用カートンでは、ラップフィルムを切断する位置の側壁に巻戻り防止層を設けている。そして、箱から引き出したラップフィルムをこの巻戻り防止層に密着せしめることで、ラップフィルムの巻き戻しを防止するものである。
【０００５】
また特許文献２に記載されたラップフィルムの収納箱では、箱の長さ方向の両端部にラップフィルムとの密着力が高い高密着面を形成し、該高密着面に切断後のフィルムを密着させることで、フィルムが逆戻りするのを防止すると共に、切り始めのフィルムのスリップを防止している。
【０００６】
さらに特許文献３では、収納箱の長手両端部の側面にロールフィルムの両端部を支える折込片等を設け、ロールフィルムが収納箱から不用意に飛び出すのを防止している。すなわち、収納箱からロールフィルムが不用意に飛び出した際に、このフィルム端部がロールフィルム側面に巻き付けられるのを予防するものである。
【０００７】
一方、市販されているロールフィルム用収納箱の説明書などには、既にフィルム端部がロールフィルムに密着してしまったときの対応策として、セロハンテープを使用してフィルム端部を見つける手順などが紹介されている。
【０００８】
また、布製のガムテープをロールフィルムの長手方向に貼り付けてから引き剥がす方法などもインターネット上の情報として公開されている。この方法によると、ロールフィルムの長手側面に沿って布製のガムテープを貼り付け、このガムテープの端を幅方向に沿って三等分すると共に、三等分された端の中央部分を長手方向に沿って強制的に切り離すと、ガムテープに接着されていたフィルムも同時に切り取られ、新しいフィルム端部が形成されるという方法である。
【特許文献１】特許第２６０８６１７号公報
【特許文献２】特許第２７０５８９９号公報
【特許文献３】実公昭６１‐４３７０２号公報
【発明の開示】
【発明が解決しようとする課題】
【０００９】
前記の各特許文献に例示されるごとく、従来のロールフィルム用の収納箱では、引き出したフィルム端部が巻き戻らないようにする工夫や、収納箱から不用意に飛び出さないようにする工夫などが数多く提案されている。ところが、このフィルム端部がロールフィルム側面に既に密着してしまったときに、フィルム端部を簡単に引き剥がす手段は極めて限定されており、前述のようなセロハンテープや、布製のガムテープなどに頼らざるを得ないものであった。ところが、布製のガムテープを使用する剥離手段は、接着状態の布製ガムテープを長手方向に沿って強制的に切り裂く手段であるから、指先の力やコツなどが必要になり、誰もが簡単に実行できる手段ではなかった。
【００１０】
一方、この種のロールフィルムは、静電気の作用だけでなく、物質の分子同士が近づくとお互いが引き合おうとする、所謂、ファンデルワース力やフィルム表面のわずかな粘着力などが複合的に作用してフィルム端部がロールフィルム側面に密着することが知られている。しかも、食品用フィルムは使用時に、のこぎり状のカッターで切断されているため、セロハンテープでフィルムの一部のみを接着して引き剥がそうとすると、接着した一部のみがフィルム端部から裂けてしまうことが多い。この場合、フィルム端部の裂けた一部のみが引き出され、残されたフィルム端部がロール側面に密着したまま周回遅れになる。このような状態では、もはやフィルム端部をもとの状態に引き出すことが極めて困難になり、フィルムの使用をあきらめてそのまま廃棄されることも少なくない。
【００１１】
そのため、ロールフィルムの側面に巻きついてしまったフィルム端部を引き出す手段は、たとえ接着テープや布製のガムテープなどを使用したとしても極めて面倒な作業にならざるを得ず、誰でも簡単に使いこなすことができるフィルム端部の引き出し手段が望まれていた。
【００１２】
そこで本発明は上述の課題を解決すべく創出されたもので、既にロールフィルムの側面に密着してしまったフィルム端部を、誰もが簡単に見つけ出して引き出すことができるフィルム端部の引出し方法及び引出し具又は引出し具を備えた収納箱の提供を目的とするものである。
【課題を解決するための手段】
【００１３】
上述の目的を達成するため本発明における第１の手段は、長尺な帯状フィルムが筒状に巻かれたロールフィルムＰを使用し、該ロールフィルムの側面に密着したフィルム端部Ｐ１を該ロールフィルムＰ側面から引き離すフィルム端部の引出し方法において、ロールフィルムＰの長手側面の全長が当接可能な範囲の平面部１Ａに、該ロールフィルムＰが着脱自在に接着される粘着剤２を付着して端部検出面３を形成し、ロールフィルムＰの長手側面を端部検出面３に密着するように押し当て、端部検出面３にフィルム端部Ｐ１を接着した後、ロールフィルムＰを回転させてフィルム端部Ｐ１を引き出す方法にある。
【００１４】
第２の手段は、長尺な帯状フィルムが筒状に巻かれたロールフィルムＰに使用され、該ロールフィルムＰの側面に密着したフィルム端部Ｐ１をロールフィルムＰ側面から引き離すフィルム端部の引出し具１００において、該引出し具１００は、ロールフィルムＰの長手側面の全長が当接可能な平面部１Ａを有する当接体１と、該当接体１の平面部１ＡにロールフィルムＰが着脱自在に接着される粘着剤２を付着して形成された端部検出面３とで構成され、該端部検出面３とロールフィルムＰの側面とを平行に押し当ててフィルム端部Ｐ１を接着し、ロールフィルムＰを回転させてフィルム端部Ｐ１を引き出す引出し具である。
【００１５】
第３の手段は、長尺な帯状フィルムが筒状に巻かれたロールフィルムＰに使用され、該ロールフィルムＰの側面に密着したフィルム端部Ｐ１をロールフィルムＰ側面から引き離す引出し具１００を備えたロールフィルム用の収納箱２００において、該収納箱２００は、ロールフィルムＰを収納する箱本体１０と、該箱本体１０の長手方向に沿った開口部に揺動自在に設けられた蓋体２０とからなり、前記引出し具１００は、前記蓋体２０の天板２１を前記引出し具１００の当接体１とすると共に、該当接体１の内側面に前記粘着剤２を付着して前記引出し具１００の端部検出面３とし、該端部検出面３にロールフィルムＰの長手側面の全長を平行に押し当てながら回転せしめるように構成された収納箱にある。
【発明の効果】
【００１６】
本発明の請求項１によると、ロールフィルムＰの長手側面を端部検出面３に密着するように押し当て、端部検出面３にフィルム端部Ｐ１を接着することによって、フィルム端部Ｐ１を、極めて簡単に見つけ出すことができる。すなわち、これまでフィルム端部Ｐ１の一部から全体を探すといった発想を転換し、ロールフィルムＰの長手側面全体からフィルム端部Ｐ１を探すといった逆転の発想により、ロールフィルムＰを回転させるだけの簡単な操作でフィルム端部Ｐ１を引き出すことに成功したものである。
【００１７】
この結果、これまでのセロハンテープや布製ガムテープを使用しなくても、ロールフィルムＰを端部検出面３に着脱自在に押し当てて回転させるだけで、誰でも簡単にフィルム端部Ｐ１を引き出すことが可能になった。しかも、フィルム端部Ｐ１の全長を端部検出面３に接着した状態でフィルム端部Ｐ１を引き出すことから、セロハンテープなどによって部分的に引き剥がしたときのように、フィルム端部Ｐ１の一部が周囲から切り離され、かえって修復が困難になるような不都合も全くなくなった。
【００１８】
しかも、フィルム端部Ｐ１が周回遅れなど、不揃いに密着した状態になっているロールフィルムＰであっても、ロールフィルムＰの長手側面を端部検出面３に平行に押し当てることで、フィルム端部Ｐ１を順次探し出すことができる。したがって、周回遅れになっているフィルム端部Ｐ１でも簡単に順次引き出すことも可能になる。
【００１９】
請求項２の引出し具１００は、ロールフィルムＰの長手側面の全長が当接可能な平面部１Ａを有する当接体１と、該当接体１の平面部１ＡにロールフィルムＰが着脱自在に接着される粘着剤２を付着して形成された端部検出面３とで構成されているので、引出し具１００自体の構成としては極めてシンプルな構成になる。したがって、ロールフィルムＰの長手側面の全長を当接体１の端部検出面３に平行に押し当てることができる平面部１Ａを有するものであれば、どのような部材でも本発明の引出し具１００として利用することが可能になる。この結果、ロールフィルムＰの用途に応じて自由な形状の引出し具１００を提供することができる。
【００２０】
請求項３に記載の収納箱２００は、ロールフィルムＰを収納する箱本体１０と、該箱本体１０の長手方向に沿った開口部に揺動自在に設けられた蓋体２０とからなり、天板２１の内側面２１Ａに端部検出面３を設けているので、不使用時における端部検出面３の粘着剤２がロールフィルムＰの通常の使用を妨げることがなく使用者の目に触れることもない。さらに、不使用時の端部検出面３に塵などが付着せず清潔な使用が可能である。
【００２１】
このように本発明によると、ロールフィルムの側面に巻きついてしまったフィルム端部を、極めて容易に見つけ出し、誰もが簡単に引き出すことができるなどといった産業上有益な種々の効果を奏するものである。
【発明を実施するための最良の形態】
【００２２】
本発明の最良の形態は、ロールフィルムＰの長手側面が平行に当接自在となる平面部１Ａを有する当接体１と、該当接体１の平面部１Ａ表面に粘着剤２を付着して形成された端部検出面３とでフィルム端部の引出し具１００を構成する。このとき、引出し具１００は、ロールフィルムＰを収納する箱本体１０と、該箱本体１０の長手方向に沿った開口部に揺動自在に設けられた蓋体２０に設置するものとし、特に、蓋体２０の天板２１を前記当接体１とすると共に、該天板２１の内側面２１Ａを前記平面部１Ａとし、該内側面２１Ａの表面に粘着剤２を付着して端部検出面３が形成された引出し具１００とする。そして、ロールフィルムＰの長手側面を当接体１の端部検出面３に平行に押し当ててフィルム端部Ｐ１を接着し、フィルムが開く方向にロールフィルムＰを回転させてフィルム端部Ｐ１を引き出すように設けた収納箱２００により当初の目的を達成するものである。
【実施例】
【００２３】
以下、本発明の一実施例を説明する。本発明引出し方法は、長尺な帯状フィルムが筒状に巻かれたロールフィルムＰにおいて実施される。すなわち、ロールフィルムＰの側面に密着したフィルム端部Ｐ１を簡単に見つけ出して引き出す方法である。このロールフィルムＰの材質や用途は限定されないが、特に食品用ラップフィルム等の包装用ラップあるいはストレッチフィルムなど、薄いフィルムを巻きつけたロールフィルムＰのフィルム端部を引出すのに有効である(図１参照)。
【００２４】
本発明引出し方法は、最初にロールフィルムＰの長手側面の全長が当接自在となる任意の部材の平面部１Ａに粘着剤２を付着して端部検出面３を形成する(図１参照)。この粘着剤２は、端部検出面３に接着したロールフィルムＰが、該端部検出面３上で貼り直し自在になる程度の比較的弱い接着力を有する粘着剤２の使用が好適である。
【００２５】
次に、端部検出面３を使用してフィルム端部Ｐ１端部の位置を探し出す。すなわち、ロールフィルムＰを持ってロールフィルムＰの長手側面の全長を端部検出面３に平行に押し当てる(図２(イ)参照)。次に、このロールフィルムＰを押し当てながら少しずつ円周方向に回転させて行く(同図(ロ)参照)。
【００２６】
この手順を繰り返してロールフィルムＰの当接面を順次変えて行くと、フィルム端部Ｐ１の一部又は全体が端部検出面３に接着された状態で検出される。そこで、フィルム端部Ｐ１の一部が見つかった場合、ロールフィルムＰの当接位置を貼り直してフィルム端部Ｐ１の長手部分を端部検出面３に接着する。
【００２７】
そして、フィルム端部Ｐ１の長手部分を端部検出面３に接着した後、フィルムが開く方向へロールフィルムＰを回転させると、端部検出面３に残されたフィルム端部Ｐ１がロールフィルムＰ側面から引き出された状態になる(図２(ハ)参照)。
【００２８】
また、該検出時において、フィルム端部Ｐ１の長手部分の全体が端部検出面３に一度で接着されることも多い。この場合は、そのままロールフィルムＰを回転させるだけのワンタッチ操作でフィルム端部Ｐ１を引き出すことができる(図２(ハ)参照)。
【００２９】
フィルム端部Ｐ１が斜めに切断されている場合など、フィルム端部Ｐ１の長手全体を端部検出面３に一度で接着できない状態では、できるだけフィルム端部Ｐ１を長めに接着し、引き出す面積が広くなるように貼り直しながら調整し、最終的にフィルム端部Ｐ１の長手全体が接着できるようにする。
【００３０】
フィルム端部Ｐ１の一部が周回遅れになっている場合は最も困難な修復作業になっていた。この場合でも次の手順で容易に修復可能になる。まずロールフィルムＰの各端部に近接するフィルム端部Ｐ１をそれぞれ検出する。この検出には、ロールフィルムＰの長手側面全体を端部検出面３に当接するのではなく、ロールフィルムＰを端部検出面３に対して横向きに押し当てる(図３参照)。そして、ロールフィルムＰの一方の長手端部のみが端部検出面３に当接した状態でロールフィルムＰを回転させるとフィルム端部Ｐ１を容易に検出できる。
【００３１】
このような手順でロールフィルムＰの長手両端部にあるフィルム端部Ｐ１をそれぞれ検出すると、引き出しが先行しているフィルム端部Ｐ１と周回遅れのフィルム端部Ｐ１とが別々に検出されるので、周回遅れのフィルム端部Ｐ１を引き出し、先行しているフィルム端部Ｐ１に揃える。このように、フィルム端部Ｐ１を修復する手順は、フィルム端部Ｐ１の状態に応じて適宜に変更することができる。
【００３２】
本発明引出し具１００は、当接体１と端部検出面３とで構成される(図１参照)。すなわち、当接体１は、ロールフィルムＰの長手側面が当接自在となる平面部１Ａを有する部材を使用する。さらに当接体１の平面部１Ａに粘着剤２を付着して端部検出面３を形成する。
【００３３】
また、本発明引出し具１００は、独立した引出し具１００として構成する(図４参照)ほか、ロールフィルムＰを収納する収納箱２００の一部や(図１参照)、テーブルの天板の一部などを引出し具１００として形成することも可能である。
【００３４】
独立した引出し具１００を構成する場合、ロールフィルムＰ側面の全長が当接可能になる平面部１Ａを有する部材が当接体１の対象になる。したがって、平面部１Ａを有する任意の形状の物品を当接体１として使用することができる(図４参照)。当接体１の材質も任意に選択できるもので、紙、合成樹脂、金属、皮革、木材など、ロールフィルムＰの側面を押し当てることが可能な材質であれば良い。
【００３５】
引出し具１００を使用するには、当接体１をテーブル等に置き、ロールフィルムＰを持って押し当てるほか、テーブル等にロールフィルムＰを置き、この上から引出し具１００を持って押し当てるといった使用も可能である。また、当接体１の平面部１Ａ以外の面は、平坦でなくてもよいので、当接体１を操作する取手４や、当接体１を固定する任意の台など適宜の加工等を施すことも可能である(図４参照)。
【００３６】
また、独立した引出し具１００を構成する場合、例えば合成樹脂材のように粘着性を有する材質を当接体１に使用することも可能である。この場合、粘着剤２は、平面部１Ａに後から付着するものではなく、当接体１が自ら持つ性質を粘着剤２として使用することになる。
【００３７】
当接体１の平面部１Ａは、ロールフィルムＰの長手側面の全長が当接する面として形成されている。したがって、ロールフィルムＰの円周に沿って湾曲する平面部１Ａであってもよい(図５参照)。また、柔軟な板状材やシート材を当接体１とし、ロールフィルムＰの側面を包むように押し当てる当接体１でもよい(図６参照)。このように、独立した引出し具１００は、当接体１の平面部１Ａが、ロールフィルムＰの長手側面の全長が当接する面を持つ部材であればよく、当接体１の形状、材質、硬度などは自由に設計変更することができる。
【００３８】
本発明で使用する粘着剤２は、当接体１の平面部１ＡにロールフィルムＰを着脱自在に接着するものである。したがって、端部検出面３に当接されたロールフィルムＰの側面が端部検出面３上で貼り直しが可能な粘着剤２を使用する。すなわち、粘着剤２の接着力は、端部検出面３に当接されたロールフィルムＰの側面が貼り付き、張り付いた後でロールフィルムＰが回転自在となる比較的弱い接着力であれば本発明引出し具１００の粘着剤２として使用可能である。
【００３９】
例えば、セロハンテープやガムテープの接着面に液体、粉末等を付着させて接着力を弱くすることで粘着剤２としての使用が可能である。また、実験によると、粘着剤２として、エラストマー系溶剤形の接着剤が粘着剤２として使用可能であることが明らかになった。この実験では、収納箱２００の蓋体２０を構成する用紙の非印刷面に、このエラストマー系溶剤形の接着剤を適量付着して端部検出面３を形成した場合でも粘着剤２として繰り返し使用可能であることが確認されている。
【００４０】
尚、このような粘着剤２は、本発明で使用する粘着剤２の一実施例にすぎず、ロールフィルムＰを着脱自在に貼り直しができる接着力を有するものなら、他の接着剤や粘着剤等に変更することが可能である。
【００４１】
さらに、粘着剤２を付着する面積は、広くなるほどフィルム端部Ｐ１を検出しやすくなる。しかしながら、必ずしも当接体１の平面部１Ａ全面に付着する必要はなく、ロールフィルムＰの長手側面の全長が接着可能になる程度の幅狭な帯状に限定して付着してもよい。また、端部検出面３は、フィルム端部Ｐ１の長手方向に沿った全長を接着するので、粘着剤２は平面部１Ａ上の全面に塗布してもよいが、粘着剤２を多数の点状に付着するなど、ある程度の間隔をおいて付着することも可能である。
【００４２】
さらに、粘着剤２の付着手段は、はけ塗り、印刷、吹付けなど、当接体１の平面部１Ａに粘着剤２を直に付着する手段がある。また、シートやフィルム等の平面部１Ａに粘着剤２を付着した当接体１を別途形成し、この当接体１を別の当接体１の平面部１Ａに接着するなどして使用することも可能である。
【００４３】
本発明収納箱として、ロールフィルムＰを収納する収納箱２００の一部を引出し具１００とする実施例を説明する(図１参照)。この収納箱２００は、ロールフィルムＰを収納する箱本体１０と、該箱本体１０の長手方向に沿った開口部に揺動自在に設けられた蓋体２０とからなる。
【００４４】
この場合の当接体１は、ロールフィルムＰの長手側面に当接する収納箱２００のいずれかの側板を当接体１とする。すなわち、収納箱２００の天板２１または側板２２または底板２３、若しくはこれらの組合せから選択することができる。そして、この当接体１の平面部１ＡにロールフィルムＰが着脱自在に接着される粘着剤２を付着して端部検出面３を形成する。また、独立したシート状、フィルム状等の平面部１Ａに粘着剤２を付着して引出し具１００を形成し、この引出し具１００を収納箱２００の平面部１Ａに装着して端部検出面３を形成することも可能である。
【００４５】
図示例では、蓋体２０の天板２１を当接体１とし、蓋体２０内部の内側面２１Ａを平面部１Ａとしている(図１参照)。そして、この内側面２１Ａに直接粘着剤２を付着して端部検出面３を形成し、蓋体２０を引出し具１００とするものである。
【００４６】
天板２１の内側面２１Ａを当接体１とした場合、蓋体２０を開くと引出し具１００の使用が可能になる。さらに、開いた蓋体２０の一側縁部は箱本体１０の開口側縁に連続しているので、当接体１の粘着剤２にフィルム端部Ｐ１を接着させた状態で、箱本体１０方向にロールフィルムＰを回転移動させることができる。この場合、片手で蓋体２０を支え、もう一方の手で持ったロールフィルムＰを内側面２１Ａに当接させるといった簡単な操作になる。
【００４７】
また、他の実施例として、底板２３を当接体１とし、この当接体１の外側面を端部検出面３とすることも可能である(図7参照)。この場合、粘着剤２が箱本体１０の外側に付着されるので、不使用時の端部検出面３を覆う剥離紙５等を端部検出面３に貼り付けておいてもよい。
【００４８】
尚、本発明は図示例に限定されるものではなく、当接体１や収納箱２００の形状や寸法等の設計変更、および当接体１や粘着剤２の材質の置換などは、本発明の要旨を変更しない範囲において自由に変更できるものである。
【図面の簡単な説明】
【００４９】
【図１】本発明の一実施例を示す斜視図である。
【図２】(イ)乃至(ハ)は本発明引出し方法の一実施例を示す側面図である。
【図３】本発明の他の端部検出方法を示す平面図である。
【図４】本発明の引出し具の他の実施例を示す斜視図である。
【図５】本発明の他の当接体を示す側面図である。
【図６】本発明の他の当接体を示す側面図である。
【図７】本発明の他の当接体の使用状態を示す側面図である。
【符号の説明】
【００５０】
Ｐ  ロールフィルム
Ｐ１  フィルム端部
１  当接体
１Ａ  平面部
２  粘着剤
３  端部検出面
４  取手
５  剥離紙
１０  箱本体
２０  蓋体
２１  天板
２１Ａ  内側面
２２  側板
２３  底板
１００  引出し具
２００  収納箱
【手続補正３】
【補正対象書類名】図面
【補正対象項目名】全図
【補正方法】変更
【補正の内容】
【図１】
2010143594.tif 000010
【図２】
2010143594.tif 000011
【図３】
2010143594.tif 000012
【図４】
2010143594.tif 000013
【図５】
2010143594.tif 000014
【図６】
2010143594.tif 000015
【図７】
2010143594.tif 000016